【手続補正書】
【提出日】平成17年11月1日(2005.11.1)
【手続補正１】
【補正対象書類名】明細書
【補正対象項目名】特許請求の範囲
【補正方法】変更
【補正の内容】
【特許請求の範囲】
【請求項１】  循環軌道に沿って移動する踏段と、この踏段を移動可能に収納し、両側部に位置する一対の支持枠と、水平部を形成する床の下方に設けられ、上記踏段を移動させる駆動装置が収納される機械室とを備えた乗客コンベアにおいて、上記機械室の幅寸法を、上記一対の支持枠の中間部分における当該支持枠間の幅寸法に比べて大きく設定し、また、上記支持枠を上記機械室内まで延設させ、さらに、上記支持枠付近に壁部を形成するとともに、上記機械室の一部を上記壁部内に設けたことを特徴とする乗客コンベア。
【請求項２】  循環軌道に沿って移動する踏段と、この踏段を移動可能に収納し、両側部に位置する一対の支持枠と、水平部を形成する床の下方に設けられ、上記踏段を移動させる駆動装置が収納される機械室とを備えた乗客コンベアにおいて、上記機械室の幅寸法を、上記一対の支持枠の中間部分における当該支持枠間の幅寸法に比べて大きく設定し、また、上記支持枠を上記機械室内まで延設させ、さらに、上記機械室は、当該機械室まで延設させた上記支持枠部分の外側に、張出し部を有することを特徴とする乗客コンベア。
【請求項３】  当該乗客コンベアがエスカレータであり、上記機械室を、上階床及び下階床の少なくとも一方に設けるとともに、当該乗客コンベアに隣接して階段を備えたことを特徴とする請求項１または２に記載の乗客コンベア。
【請求項４】  上記エスカレータが、上記踏段を上記循環軌道に沿って移動させる間、当該踏段をその踏面が常時上向きで、ほぼ水平状態となるように保持するものであることを特徴とする請求項３記載の乗客コンベア。
【手続補正２】
【補正対象書類名】明細書
【補正対象項目名】０００６
【補正方法】変更
【補正の内容】
【０００６】
本発明は、上記した従来技術における実状に鑑みてなされたもので、その目的は、機械室の高さ寸法を比較的低く設定した場合でも、踏段を支障なく循環移動させることができ、しかも、機械室の強度を確保し、かつ、延設された支持枠付近を機械室の一部として有効に活用することができる乗客コンベアを提供することにある。
【手続補正３】
【補正対象書類名】明細書
【補正対象項目名】０００７
【補正方法】変更
【補正の内容】
【０００７】
【課題を解決するための手段】
上記目的を達成するために、本願の請求項１に係る発明は、循環軌道に沿って移動する踏段と、この踏段を移動可能に収納し、両側部に位置する一対の支持枠と、水平部を形成する床の下方に設けられ、上記踏段を移動させる駆動装置が収納される機械室とを備えた乗客コンベアにおいて、上記機械室の幅寸法を、上記一対の支持枠の中間部分における当該支持枠間の幅寸法に比べて大きく設定し、また、上記支持枠を上記機械室内まで延設させ、さらに、上記支持枠付近に壁部を形成するとともに、上記機械室の一部を上記壁部内に設けた構成にしてある。
【手続補正４】
【補正対象書類名】明細書
【補正対象項目名】０００８
【補正方法】変更
【補正の内容】
【０００８】
このように構成した請求項１に係る発明にあっては、機械室の幅寸法を一対の支持枠の中間部分における当該支持枠の幅寸法よりも大きくしたので、機械室の高さ寸法を低くしても、踏段を駆動する駆動装置の収納スペースを従来と同様に確保することができ、したがって、機械室に収納した駆動装置によって従来と同様に踏段を支障なく循環移動させることができる。
また、支持枠を機械室内まで延設させてあるので、機械室の強度を確保することができる。
さらに、支持枠付近に設けた壁部内を機械室のスペースの一部として有効に活用することができる。
【手続補正５】
【補正対象書類名】明細書
【補正対象項目名】０００９
【補正方法】変更
【補正の内容】
【０００９】
また、本願の請求項２に係る発明は、循環軌道に沿って移動する踏段と、この踏段を移動可能に収納し、両側部に位置する一対の支持枠と、水平部を形成する床の下方に設けられ、上記踏段を移動させる駆動装置が収納される機械室とを備えた乗客コンベアにおいて、上記機械室の幅寸法を、上記一対の支持枠の中間部分における当該支持枠間の幅寸法に比べて大きく設定し、また、上記支持枠を上記機械室内まで延設させ、さらに、上記機械室は、当該機械室まで延設させた上記支持枠部分の外側に、張出し部を有する構成にしてある。
【手続補正６】
【補正対象書類名】明細書
【補正対象項目名】００１０
【補正方法】変更
【補正の内容】
【００１０】
このように構成した請求項２に係る発明にあっては、機械室の幅寸法を一対の支持枠の中間部分における当該支持枠の幅寸法よりも大きくしたので、機械室の高さ寸法を低くしても、踏段を駆動する駆動装置の収納スペースを従来と同様に確保することができ、したがって、機械室に収納した駆動装置によって従来と同様に踏段を支障なく循環移動させることができる。
また、支持枠を機械室内まで延設させてあるので、機械室の強度を確保することができる。
さらに、延設された支持枠部分の外側に設けられる機械室の張出し部を、駆動装置の一部などの設置スペースとして有効に活用することができる。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
また、本願の請求項３に係る発明は、請求項１または２に記載の発明において、当該乗客コンベアがエスカレータであり、上記機械室を、上階床及び下階床の少なくとも一方に設けるとともに、当該乗客コンベアに隣接して階段を備えたことを特徴としている。
【手続補正９】
【補正対象書類名】明細書
【補正対象項目名】００１３
【補正方法】変更
【補正の内容】
【００１３】
また、本願の請求項４に係る発明は、請求項３に記載の発明において、上記エスカレータが、上記踏段を上記循環軌道に沿って移動させる間、当該踏段をその踏面が常時上向きで、ほぼ水平状態となるように保持するものであることを特徴としている。
【手続補正１０】
【補正対象書類名】明細書
【補正対象項目名】００３０
【補正方法】変更
【補正の内容】
【００３０】
【発明の効果】
本願の請求項１に係る発明によれば、機械室の幅寸法を一対の支持枠の中間部分における当該支持枠間の幅寸法よりも大きくしたので、機械室の高さ寸法を低くしても踏段を駆動する駆動装置の収納スペースを従来と同様に確保することができ、したがって、機械室に収納した駆動装置によって踏段を支障なく循環移動させることができ、すなわち、支持枠の高さ寸法を従来のものよりも低くしたいという要望に応えることができ、乗客コンベアの設置スペースの少スペース化を実現させることができる。
また、支持枠を機械室内まで延設させてあるので、機械室の強度を確保することができる。
さらに、支持枠付近に設けた壁部内を機械室のスペースの一部として有効に活用することができる。
【手続補正１１】
【補正対象書類名】明細書
【補正対象項目名】００３１
【補正方法】変更
【補正の内容】
【００３１】
また、本願の請求項２に係る発明によれば、機械室の幅寸法を一対の支持枠の中間部分における当該支持枠間の幅寸法よりも大きくしたので、機械室の高さ寸法を低くしても踏段を駆動する駆動装置の収納スペースを従来と同様に確保することができ、したがって、機械室に収納した駆動装置によって踏段を支障なく循環移動させることができ、すなわち、支持枠の高さ寸法を従来のものよりも低くしたいという要望に応えることができ、乗客コンベアの設置スペースの少スペース化を実現させることができる。
また、支持枠を機械室内まで延設させてあることから、機械室の強度を確保することができる。
さらに、延設された支持枠部分の外側に設けられる機械室の張出し部を、駆動装置の一部、あるいは制御装置などの設置スペースとして有効に活用することができる。
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】